(57)【要約】【課題】画像情報を印刷媒体に複写する際に、遠隔読み取り可能な所定の付加情報を簡易な構成で印刷媒体に記録可能な画像形成装置１００を得ること。【解決手段】印刷対象となる画像を印刷する画像形成装置１００において、画像を用紙４に印刷するプリンタと、画像に付加された第１の付加情報を入力する情報入力部２１と、情報入力部２１に入力された第１の付加情報に基づいて、第２の付加情報を生成するとともに、生成した第２の付加情報を用紙４に付加する機密情報生成部２４、タグ付加部１６と、を備え、機密情報生成部２４、タグ付加部１６は、有機半導体素子を含む遠隔読み取り可能なＩＣタグ８に第２の付加情報を入力し、第２の付加情報を入力したＩＣタグ８を用紙４に付加する。【選択図】        図１
2006255946.tif 000002
【特許請求の範囲】
【請求項１】
印刷対象となる画像を印刷する画像形成装置において、
前記画像を所定の用紙に印刷する印刷部と、
前記画像に付加された第１の付加情報を入力する入力部と、
前記入力部に入力された第１の付加情報に基づいて、第２の付加情報を生成するとともに、生成した第２の付加情報を前記用紙に付加する情報付加部と、
を備え、
前記情報付加部は、有機半導体素子を含む遠隔読み取り可能な情報記憶装置に前記第２の付加情報を入力し、前記第２の付加情報を入力した情報記憶装置を前記用紙に付加することを特徴とする画像形成装置。
【請求項２】
前記情報記憶装置は、無線ＩＣタグであることを特徴とする請求項１に記載の画像形成装置。
【請求項３】
前記印刷部は、電子写真画像形成手段によって前記画像を所定の用紙に印刷することを特徴とする請求項１または２に記載の画像形成装置。
【請求項４】
印刷対象となる画像を印刷する画像形成方法において、
前記画像を所定の用紙に印刷する印刷ステップと、
前記画像に付加された第１の付加情報を入力する入力ステップと、
前記入力部に入力された第１の付加情報に基づいて、第２の付加情報を生成するとともに、生成した第２の付加情報を前記用紙に付加する情報付加ステップと、
を含み、
前記情報付加ステップは、有機半導体素子を含む遠隔読み取り可能な情報記憶装置に前記第２の付加情報を入力し、前記第２の付加情報を入力した情報記憶装置を前記用紙に付加することを特徴とする画像形成方法。
【発明の詳細な説明】
【技術分野】
【０００１】
本発明は、印刷媒体に画像情報とともに付加情報を付加する画像形成装置および画像形成方法に関するものである。
【背景技術】
【０００２】
近年、機密文書の管理が重要となっている。機密文書の漏洩を防止するため、例えば印刷媒体（紙）に予め潜像を形成しておく方法や、機密文書を作成する際に印刷媒体に画像情報とともに潜像を形成する方法がある。そして、機密文書を複写等した場合に、画像情報とともに形成しておいた潜像を印刷媒体に現すことによって、印刷媒体が機密文書のコピー（不正コピー）であることを容易に識別させている。
【０００３】
しかしながら、このような方法では印刷媒体を視認できないような状況（機密文書のコピーを書類の間に挟んで外部に持ち出す）で不正コピー等を発見することができない。このため、機密文書のコピーが不正に外部に持ち出されても機密文書の漏洩を発見できないといった問題があった。
【０００４】
ところで、商品を販売する店舗等においては、磁性材で構成された情報装置を商品に取り付けておき、磁歪振動や大バルクハウゼン効果を用いて情報装置内の情報をリモートで検知する方法が採用されている。この方法では、店舗内の商品を持ち出す際に商品に取り付けられている情報装置から磁界が発生しないよう処理しなければ、店舗等の出口に設置される磁性材センサが磁性材から発せられる磁界をリモートで検知して商品の持ち出し（不正持ち出し）に警告を発している。これにより、商品が不正に店舗外に持ち出されることを防止している。
【０００５】
したがって、この技術を利用して機密文書に情報装置を取り付けておけば、機密文書が視認できない状況であっても、機密文書自体の不正な持ち出しを防止することが可能となる。しかしながら、このような技術を利用した場合であっても、機密文書が印刷媒体にコピーされてしまうと、コピーされた機密文書の不正な持ち出しを検出することができなくなる。
【０００６】
特許文献１に記載の付加情報記録装置は、プリンタに印刷された画像情報及びその画像情報に対応する機密管理情報を入力する情報入力部と、プリンタにより画像情報が印刷された用紙を取り込み、発熱抵抗体を通過させた後に排出する搬送機構と、磁性タグ形成部とを有している。そして、磁性タグ形成部が、搬送されてきた用紙に印刷された画像情報に対応する機密管理情報の内容に従って発熱抵抗体を発熱制御し、熱転写シートに含まれる磁性材を用紙に熱転写することによって機密管理情報の内容を表す磁性タグを用紙に形成している。
【０００７】
【特許文献１】特開２００４−１１０６８９号公報
【発明の開示】
【発明が解決しようとする課題】
【０００８】
しかしながら、上記従来技術では、付加情報を記録させるための装置構成が複雑となるため、装置が大型化したり製造コストがアップしたりするといった問題があった。
【０００９】
本発明は、上記に鑑みてなされたものであって、画像情報を印刷媒体に複写する際に、遠隔読み取り可能な所定の付加情報を簡易な構成で印刷媒体に記録可能な画像形成装置および画像形成方法を得ることを目的とする。
【課題を解決するための手段】
【００１０】
上述した課題を解決し、目的を達成するために、請求項１にかかる発明は、印刷対象となる画像を印刷する画像形成装置において、前記画像を所定の用紙に印刷する印刷部と、前記画像に付加された第１の付加情報を入力する入力部と、前記入力部に入力された第１の付加情報に基づいて、第２の付加情報を生成するとともに、生成した第２の付加情報を前記用紙に付加する情報付加部と、を備え、前記情報付加部は、有機半導体素子を含む遠隔読み取り可能な情報記憶装置に前記第２の付加情報を入力し、前記第２の付加情報を入力した情報記憶装置を前記用紙に付加することを特徴とする。
【００１１】
また、請求項２にかかる発明は、請求項１に記載の画像形成装置において、情報記憶装置は、無線ＩＣタグであることを特徴とする。
【００１２】
また、請求項３にかかる発明は、請求項１または２に記載の画像形成装置において、印刷部は、電子写真画像形成手段によって前記画像を所定の用紙に印刷することを特徴とする。
【００１３】
また、請求項４にかかる発明は、印刷対象となる画像を印刷する画像形成方法において、前記画像を所定の用紙に印刷する印刷ステップと、前記画像に付加された第１の付加情報を入力する入力ステップと、前記入力部に入力された第１の付加情報に基づいて、第２の付加情報を生成するとともに、生成した第２の付加情報を前記用紙に付加する情報付加ステップと、を含み、前記情報付加ステップは、有機半導体素子を含む遠隔読み取り可能な情報記憶装置に前記第２の付加情報を入力し、前記第２の付加情報を入力した情報記憶装置を前記用紙に付加することを特徴とする。
【発明の効果】
【００１４】
請求項１にかかる発明によれば、印刷対象となる画像に付加された第１の付加情報に基づいて有機半導体素子を含む遠隔読み取り可能な情報記憶装置に第２の付加情報を入力するとともに、第２の付加情報を入力した情報記憶装置を画像を印刷する用紙に付加するので、情報記憶装置から第２の付加情報を容易に検出することが可能となる。したがって、機密文書の漏洩を容易に防止することが可能な画像のコピーを、簡易な構成で行うことが可能になるという効果を奏する。
【００１５】
また、請求項２にかかる発明によれば、情報記憶装置が無線ＩＣタグであるので、無線電波を使った簡易な構成で情報記憶装置内の第２の付加情報を検出することが可能となる。したがって、機密文書の漏洩を容易に防止することが可能な画像のコピーを、より簡易な構成で行うことが可能になるという効果を奏する。
【００１６】
また、請求項３にかかる発明によれば、電子写真画像形成手段によって画像を所定の用紙に印刷するので、電子写真画像形成手段によって画像を印刷する場合であっても機密文書の漏洩を容易に防止することが可能な画像のコピーを、簡易な構成で行うことが可能になるという効果を奏する。
【００１７】
また、請求項４にかかる発明によれば、印刷対象となる画像に付加された第１の付加情報に基づいて有機半導体素子を含む遠隔読み取り可能な情報記憶装置に第２の付加情報を入力するとともに、第２の付加情報を入力した情報記憶装置を画像を印刷する用紙に付加するので、情報記憶装置から第２の付加情報を容易に検出することが可能となる。したがって、機密文書の漏洩を容易に防止することが可能な画像のコピーを、簡易な構成で行うことが可能になるという効果を奏する。
【発明を実施するための最良の形態】
【００１８】
以下に添付図面を参照して、この発明にかかる画像形成装置の最良な実施の形態を詳細に説明する。なお、以下では印刷媒体（印刷用紙）に印刷する情報を画像情報とし、画像情報とともに記録媒体に付加される情報を付加情報として説明する。また、ここでの画像情報は情報漏洩を防止すべき機密文書を想定している。
【００１９】
（第１の実施の形態）
まず、本発明にかかる画像形成装置の概略と特徴を説明する。画像形成装置は、有機半導体装置（有機半導体素子）を含んで構成されるＩＣ（Integrated Circuit）情報電子タグ（後述するＩＣタグ８）を、画像情報を印刷した印刷媒体（後述する用紙４）に付加する。ＩＣタグ８は、電子タグスマートカード等に適用されるＩＣタグ８と同様の構成を有している。すなわち、ＩＣタグ８は、半導体素子をエポキシ樹脂等の熱硬化性樹脂、熱可塑性樹脂、プラスチック等の容器に埋め込むことによって構成している。
【００２０】
ＩＣタグ８は、データの保存のための半導体メモリ（例えば６４ビット）、処理ロジック、データを放送するためのアンテナを備えている。ＩＣタグ８は、読み出し専用のＲＯＭ（Read Only Memory）、電気的にプログラム可能又は消去可能なＲＯＭ（ＥＰＲＯＭ（Erasable Programmable ROM）やＥＥＰＲＯＭ（Electronic EPROM））、フラッシュメモリ等を含んで構成されている。
【００２１】
ＩＣタグ８は、入力されている情報の検出の信頼性を向上させるため、所定の無線周波数によってＩＣタグ８内の情報が検出される。ＩＣタグ８内の付加情報を読み出す際には、小型の電池、光起電性電力、熱変換器、外部から加えられた電磁エネルギに依存する誘導電力変換器、またはその他の適切な電源によってＩＣタグ８に動力が供給される。そして、これらの起電力によってＩＣタグ８内の付加情報をアンテナを介して送信する。ＩＣタグ８内の付加情報を読み取るリーダ（読み取り装置）は、送信される付加情報を遠隔から読み取ることによって用紙４が機密文書のコピーであるか否かを判断する。
【００２２】
本実施の形態１においては、ＩＣタグ８を有機半導体素子を用いた回路で形成することによって簡易な構成かつ低価格で用紙４に付加情報を付加する。例えば、ＩＣタグ８の表面（貼り付け面）に熱溶融層を形成しておくとともに、熱溶融層とＩＣタグ８の表面の間に粘着層を形成しておく。そして、ＩＣタグ８を用紙４へ貼り付ける際には、熱溶融層を過熱することによって熱溶融層を溶融し、粘着層を介してＩＣタグ８を用紙４に貼り付ける。
【００２３】
図１は、本発明の第１の実施の形態にかかる画像形成装置の構成を示すブロック図である。画像形成装置１００は、原稿１の画像を画像情報として印刷媒体（以下、用紙４という）に印刷するプリンタ２、画像情報の印刷が完了した用紙４を搬送するとともに用紙４に付加情報（機密管理情報）を付加する情報付加部１０を備えている。ここでの原稿１は、画像情報とともに機密情報を有している。なお、ここでのプリンタ２が特許請求の範囲に記載の印刷部に対応する。
【００２４】
情報付加部１０は、タグ付加部１６、制御回路２０を備えている。制御回路２０は、情報入力部２１、搬送制御部２２、機密情報生成部２４を備えている。情報入力部２１は、プリンタ２が読み取る原稿１の機密情報（機密管理情報）を入力する。ここでの機密情報は、画像情報が機密文書である旨を示す情報である。搬送制御部２２は、プリンタ２から排出される用紙４のタグ付加部１６における搬送に関する制御、ＩＣタグ（情報記憶装置）８を用紙４に付加する際の制御を行なう。機密情報生成部２４は、情報入力部２１に入力された機密情報（第１の付加情報）に基づいて、有機半導体装置（有機半導体素子）を含んで構成されるＩＣタグ８に付加情報（第２の付加情報）を入力する。ここでの付加情報は機密情報と同様の情報を含んでもよいし、機密情報がコピーされたことを示す情報を含んでもよい。タグ付加部１６は、機密情報生成部２４によって付加情報が入力されたＩＣタグ８を用紙４に付加（貼り付ける）する。
【００２５】
図２は、タグ付加部１６の構成を示す側面図である。タグ付加部１６は、プリンタ２の用紙搬出側に設置されている。タグ付加部１６は、用紙送りローラ１２、ガイド用ローラ３８、用紙搬出ローラ１４、タグ貼り付けローラ３４，３６、発熱抵抗体３２からなる。
【００２６】
用紙送りローラ１２は、プリンタ２からの用紙４をタグ付加部１６内に移動させる。ガイド用ローラ３８は、用紙４にＩＣタグ８を付加する際の用紙４を固定するとともに、用紙４を移動させる。用紙搬出ローラ１４は、ＩＣタグ８が付加された用紙４をタグ付加部１６から搬出させる。タグ貼り付けローラ３４，３６、ＩＣタグ８を用紙４に付加する際にＩＣタグ８を移動させる。発熱抵抗体３２は、発熱することによってＩＣタグ８の熱溶融層を溶融させ、ＩＣタグ８を用紙４に付加（貼り付け）する。
【００２７】
また、プリンタ２は、例えばトナー、インク等によって用紙４に情報を記録する印刷機構を有した製版装置等である。プリンタ２は、インクジェット法を用いて原稿１の画像情報を用紙４に印刷してもよいし、凸版印刷法を用いて原稿１の画像情報を用紙４に印刷してもよい。
【００２８】
つぎに、画像形成装置の動作手順について説明する。原稿１がプリンタ２に設定されると、プリンタ２が原稿１の機密情報を読み取り、読み取られた機密情報が情報入力部２１に入力される。原稿１の機密情報の読み取りは、原稿１に印刷された機密情報を読み取ることとしてもよいし、原稿１に付加されたＩＣタグから機密情報を読み取ることとしてもよい。
【００２９】
また、プリンタ２は、原稿１の画像情報に基づいて所定の画像（原稿１の画像）を用紙４に印刷する。プリンタ２で画像情報が印刷された用紙４は、プリンタ２から排出されてタグ付加部１６に移動する。
【００３０】
制御回路２０の機密情報生成部２４は、情報入力部２１に入力された機密情報に基づいてＩＣタグ８に入力する付加情報を生成する。機密情報生成部２４は、生成した付加情報をＩＣタグ８に入力する。
【００３１】
搬送制御部２２は、用紙送りローラ１２を制御して用紙４をタグ付加部１６内に移動させる。搬送制御部２２は、ガイド用ローラ３８、タグ貼り付けローラ３４，３６を制御して、用紙４をガイド用ローラ３８とタグ貼り付けローラ３４，３６の間に移動させる。
【００３２】
搬送制御部２２は、用紙４がガイド用ローラ３８とタグ貼り付けローラ３４，３６の間に移動してくると、発熱抵抗体３２を制御して付加情報が入力されたＩＣタグ８を用紙４に貼り付ける。
【００３３】
ここでの搬送制御部２２は、例えばＩＣタグ８を用紙４上の所定の位置に配置する。そして、発熱抵抗体３２を発熱させてＩＣタグ８の熱溶融層を温め、熱溶融層を溶融させる。これにより、ＩＣタグ８は粘着層を介して用紙４に貼り付けられる。
【００３４】
用紙４にＩＣタグ８が貼り付けられると、搬送制御部２２は、ガイド用ローラ３８、用紙搬出ローラ１４、タグ貼り付けローラ３４，３６を制御して、用紙４をタグ付加部１６から搬出する。
【００３５】
ここで、ＩＣタグ８内のＩＣ基板の構成を説明する。図３は、ＩＣ基板の構成を説明するための図である。同図においては、ＩＣタグ８内のＩＣ基板の一部を図示している。なお、ここではトランジスタや誘電体メモリを１つしか図示していないが、ＩＣタグ８内のＩＣ基板（デバイス）は、複数のトランジスタや誘電体メモリが集積されて構成されている。また、図面に示す素子等は正確に縮尺したものではない。
【００３６】
ＩＣ基板には、基板５２上に有機半導体層５１を含む有機半導体素子が形成（積層）され、その積層方向上側に絶縁層５３が形成される。絶縁層５３の積層方向上側に下部電極５５、誘電体層６０、上部電極５８からなる誘電体メモリが形成される。誘電体層６０は、例えばＦＥ（Ferroelectric）等の強誘電体によって構成される。
【００３７】
誘電体メモリは、絶縁層５４によって、その積層方向上側および側面部が被覆される。さらに、絶縁層５４の積層方向上側には、金属配線を絶縁するためのインターメタル誘電体層５７が形成される。
【００３８】
なお、有機半導体層５１によって形成される有機半導体素子は、金属配線層６１によって接続されている。また、上部電極５８は金属配線層５９に接続され、下部電極５５は金属配線層５６によって接続されている。そして、金属配線層６１，５９は、金属配線層５６によって接続されている。
【００３９】
図４は、有機半導体素子の構成の一例を示す図である。ここでは、有機半導体素子の一例として、代表的な有機ＴＦＴ（Thin Film Transistor）の断面構造を示している。有機ＴＦＴは、基板４６の積層方向上側にゲート電極４５を積層し、ゲート電極４５の積層方向上側に絶縁層４４を積層している。そして、絶縁層４４のの積層方向上側にソース電極４１とドレイン電極４２を配置し、有機半導体層４３がソース電極４１とドレイン電極４２を被覆している。
【００４０】
ソース電極４１とドレイン電極４２の間に電圧をかけると、有機半導体層４３を通じてソース電極４１とドレイン電極４２の間に電流が流れる。このとき、絶縁層４４によって有機半導体層４３と隔てられたゲート電極４５に電圧を印加すると、電界効果によって有機半導体層４３の電導度が変化する。これにより、ソース電極４１とドレイン電極４２の間に流れる電流を変調することが可能となる。
【００４１】
このように、本実施の形態１でのＩＣ基板は、基板５２の積層方向上部に有機半導体素子を形成し、さらにその積層方向上部に誘電体メモリを形成した構造になっている。ここでのＩＣ基板は、例えば１つの有機誘電体メモリと２つのトランジスタを用いてメモリ動作させている。なお、同一平面状に無機の誘電体とトランジスタを組み合わせてＩＣ基板を構成してもよい。また、１つの誘電体メモリと１つのトランジスタによってメモリ動作させてもよい。また、ＩＣ基板を、基板５２の積層方向上部に誘電体メモリを形成し、さらにその積層方向上部に有機半導体素子を形成した構造としてもよい。
【００４２】
つぎに、コピーされた機密文書の持ち出しについて説明する。本実施の形態１の画像形成装置１００は、例えば機密文書（原稿１）を保管する文書保管室等に設置される。また、文書保管室の出口にはＩＣタグ８から送信される付加情報を読み取るリーダ装置が設置される。
【００４３】
画像形成装置１００の使用者が、機密文書を画像形成装置１００によって印刷すると、機密文書が印刷された用紙４にはＩＣタグ８からなる付加情報が付加される。使用者が、付加情報の付加された用紙４を保管室から持ち出そうとすると、文書保管室の出口に設置されているリーダ装置によってＩＣタグ８に入力されている付加情報が読み出される。このとき、リーダ装置と接続される警報装置から所定の警報音を発生させたり、警報装置が警告灯を点灯させることによって、機密文書のコピーが持ち出されることに対する警告を行う。
【００４４】
なお、本実施の形態１においては、ＩＣタグ８を熱溶融層の溶融によって用紙４に貼り付けることとしたが、ＩＣタグ８の用紙４への付加はこの方法に限られるものではない。例えば、ＩＣタグ８の表面（貼り付け面）に粘着シールを形成しておき、粘着シールを介してＩＣタグ８を用紙４に貼り付けてもよい。
【００４５】
また、本実施の形態１においては、画像形成装置１００がタグ付加部１６をプリンタ２を備える構成としたが、タグ付加部１６を１つの装置として構成してもよい。また、本実施の形態１においては、画像情報を用紙４にコピーした後に、用紙４にＩＣタグ８を付加することとしたが、用紙４にＩＣタグ８を付加した後に、画像情報を用紙４にコピーしてもよい。
【００４６】
また、情報付加部１０の制御回路２０に原稿１の画像情報を入力し、入力された画像情報に基づいて、搬送制御部２２が、印刷される画像の位置と重ならない位置にＩＣタグ８を付加することとしてもよい。
【００４７】
このように、画像形成装置１００がタグ付加部１６を備えているので、用紙４に機密文書の画像情報を印刷した際に、コピーされた機密文書の不正な持ち出しを簡易に検出可能な付加情報をＩＣタグ８によって用紙４に付加することが可能となる。
【００４８】
このように実施の形態１によれば、文書保管室等の特定領域からコピーされた機密文書を持ち出そうとした場合であっても、またコピーされた機密文書の存在を視認することができない場合にコピーされた機密文書を持ち出そうとした場合であっても、ＩＣタグ８の付加情報をリーダ装置が読み取ることができるので、機密文書の漏洩を容易に未然防止することが可能となる。
【００４９】
（第２の実施の形態）
実施の形態１では、画像形成装置１００がタグ付加部１６を備える構成としたが、電子写真画像形成装置がタグ付加部１６を備える構成としてもよい。電子写真画像形成装置としては、例えは高機能な複写機があげられる。すなわち、本実施の形態２においては、例えば複写機とタグ付加部１６によって電子写真画像形成装置を構成する。
【００５０】
図５は、実施の形態２にかかる電子写真画像形成装置の概略構成図である。なお、ここではタグ付加部１６を示さず、複写機等の画像情報を複写する部分を示している。電子写真画像形成装置１０１は、感光体７１、除電ランプ７２、帯電チャージャ７３、イレーサ７４、画像露光部７５、現像ユニット７６、転写前チャージャ７７、レジストローラ７８、転写紙７９、転写チャージャ８０、分離チャージャ８１、分離爪８２、クリーニング前チャージャ８３、ファーブラシ８４、クリーニングブラシ８５を備えている。
【００５１】
感光体７１は、導電層の支持体状に感光層とフィラーを含む最表層を有している。図５においては、感光体７１がドラム状の形状である場合を示しているが、感光体７１はシート状やエンドレスベルト状の形状であってもよい。
【００５２】
除電ランプ７２は、除電を行う蛍光灯等の光源であり、画像露光部７５は、画像の露光を行う蛍光灯等の光源である。画像露光部７５には、例えば４００〜４５０ｎｍの範囲に発振波長を有するＬＤ（Laser Diode）又はＬＥＤ（Light Emitting Diode）を用いてもよい。また、画像露光部７５は、所望の波長域の光のみを照射するために、シャープカットフィルター、バンドパスフィルター、近赤外カットフィルター、ダイクロイックフィルター、干渉フィルター、色温度変換フィルターなどの各種フィルターを用いてもよい。画像露光部７５において、書き込み用の光源のビーム系は１２００〜２４００ｄｐｉ相当の高解像度を達成するために１０〜３０μｍであることが好ましい。これらの光源は、光照射を併用した転写工程、除電工程、クリーニング工程、または前露光などの工程の際に感光体７１に光を照射する。
【００５３】
帯電チャージャ７３、転写前チャージャ７７、転写チャージャ８０、分離チャージャ８１、クリーニング前チャージャ８３には、コロトロン、スコロトロン、固体帯電器（ソリッド・ステート・チャージャ）、帯電ローラ等の公知の手段が用いられる。転写手段には、前記固体帯電器を使用してもよいし、転写チャージャ８０と分離チャージャ８１を併用してもよい。
【００５４】
現像ユニット７６は、感光体７１上にトナーを現像し、転写紙７９に転写する。ファーブラシ８４、クリーニングブラシ８５は、現像ユニット７６によって転写されず感光体７１上に残存したトナーを除去する。トナーのクリーニングは、クリーニングブラシ８５だけで行なってもよい。また、クリーニングブラシ８５にはファーブラシ、マグファーブラシ等の公知のものが用いられる。転写紙７９は、実施の形態１で説明した用紙４に対応する。
【００５５】
電子写真感光体に正(負)帯電を施し、画像露光を行なうと、感光体表面上には正(負)の静電潜像が形成される。これを負(正)極性のトナー（検電微粒子）で現像すれば、ポジ画像が得られ、正(負)極性のトナーで現像すればネガ画像が得られる。これらの露光手段、現像手段には、公知の方法が適用される。また、除電手段にも公知の方法が用いられる。
【００５６】
電子写真画像形成装置の場合も、実施の形態１で説明した画像形成装置１００と同様に、複写機等が複写対象の原稿１（機密文書）の画像情報を転写紙７９に複写する。そして、複写機等が読み取った原稿１の機密情報に基づいて、タグ付加部１６が付加情報を入力したＩＣタグ８を転写紙７９に付加する。
【００５７】
なお、本実施の形態２における電子写真画像形成装置１０１とは、電子写真画像形成方式を用いて記録媒体に画像を形成するものである。そして、電子写真画像形成装置１０１は、例えば、電子写真複写機、電子写真プリンタ（レーザープリンタ、ＬＥＤプリンタ等）、ファクシミリ装置、ワードプロセッサ及びこれらの複合機（マルチファンクションプリンター等）が含まれる。
【００５８】
このように、実施の形態２によれば、実施の形態１と同様に、文書保管室等の特定領域からコピーされた機密文書を持ち出そうとした場合であっても、またコピーされた機密文書の存在を視認することができない場合にコピーされた機密文書を持ち出そうとした場合であっても、ＩＣタグ８の付加情報をリーダ装置が読み取ることができるので、機密文書の漏洩を容易に未然防止することが可能となる。
【図面の簡単な説明】
【００５９】
【図１】第１の実施の形態にかかる画像形成装置の構成を示すブロック図である。
【図２】タグ付加部の構成を示す側面図である。
【図３】ＩＣ基板の構成を説明するための図である。
【図４】有機半導体素子の構成の一例を示す図である。
【図５】実施の形態２にかかる電子写真画像形成装置の概略構成図である。
【符号の説明】
【００６０】
１  原稿
２  プリンタ
４  用紙
８  ＩＣタグ
１０  情報付加部
１２  用紙送りローラ
１４  用紙搬出ローラ
１６  タグ付加部
２０  制御回路
２１  情報入力部
２２  搬送制御部
２４  機密情報生成部
３４，３６  タグ貼り付けローラ
３８  ガイド用ローラ
４１  ソース電極
４２  ドレイン電極
４３，５１  有機半導体層
４４，５３，５４  絶縁層
４５  ゲート電極
４６，５１  基板
５５  下部電極
５６，５９，６１  金属配線層
５７  インターメタル誘電体層
５８  上部電極
６０  誘電体層
７１  感光体
７２  除電ランプ
７３  帯電チャージャ
７４  イレーサ
７５  画像露光部
７６  現像ユニット
７７  転写前チャージャ
７８  レジストローラ
７９  転写紙
８０  転写チャージャ
８１  分離チャージャ
８２  分離爪
８３  クリーニング前チャージャ
８４  ファーブラシ
８５  クリーニングブラシ
１００  画像形成装置
１０１  電子写真画像形成装置
【図１】
2006255946.tif 000003
【図２】
2006255946.tif 000004
【図３】
2006255946.tif 000005
【図４】
2006255946.tif 000006
【図５】
2006255946.tif 000007